(57)【特許請求の範囲】
【請求項１】
両側縁部を縦長曲線状に形成された複数の生地片が、複数の外側プリーツ片と、この外側プリーツ片よりも狭小の幅に形成された複数の内側プリーツ片とから構成されており、前記外側プリーツ片と前記内側プリーツ片とが交互に配置されて向かい合う側縁部の輪郭に沿って繋ぎ合わされて前記輪郭に沿って山折りと谷折りとが交互に繰り返し形成されてなる曲線状プリーツを有する曲線状プリーツ製品。
【請求項２】
前記各生地片が、異なる色、異なる柄、異なる素材若しくはこれらの組み合わせにより構成されている、請求項１に記載の曲線状プリーツ製品。
【請求項３】
所望の生地から、両側縁部が縦長曲線状に形成された複数の外側プリーツ片と、これら外側プリーツ片の側縁部の形状に合う側縁部を備えるとともに前記外側プリーツ片よりも狭小の幅に形成された複数の内側プリーツ片とを裁断し、
前記外側プリーツ片および前記内側プリーツ片を交互に並べて互いに向かい合う側縁部をその輪郭に沿って繋ぎ合わせ、各側縁部の輪郭に沿って山折りと谷折りとを交互に繰り返すように曲線状プリーツを形成し、
前記曲線状プリーツを製品の所望の位置に取り付けて曲線状プリーツ製品を製造する曲線状プリーツ製品の製造方法。
【発明の詳細な説明】
【技術分野】
【０００１】
本発明は、曲線状のプリーツを有する曲線状プリーツ製品および曲線状プリーツ製品の製造方法に関するものである。
【背景技術】
【０００２】
従来、スカート、ワンピース、ブラウス、スラックス等の衣服やカーテン等の布製品において、プリーツと呼ばれるヒダを有するものがある。このプリーツは、その陰影による美的印象や寸法的な余裕による着心地の良さ等から人気の高い装飾の一つである。
【０００３】
そこで、これまでに衣服等の製品にプリーツを形成する方法として、布生地を折り紙のように折ってしわのような癖をつけて形成する方法、または布を折り重ねた状態で縫製する方法等、種々の方法が提案されている。
【０００４】
例えば、特許第２５０４９３１号公報には、縫製後の半製品をプリーツ機械に通してマシンプリーツを付けた後、通気性、耐熱性に優れた軟質シートで、半製品を巻き、巻いた軟質シートをねじり、紐で縛ってから熱処理装置に入れて、半製品に熱処理を施してさらにプリーツを成形したプリーツ製品の加工方法が提案されている（特許文献１）。このプリーツ製品の加工方法によれば、バリエーションに富むデザインが可能となり、付加価値の高いプリーツ製品が容易に得られるとされている。
【先行技術文献】
【特許文献】
【０００５】
【特許文献１】特許第２５０４９３１号公報
【発明の概要】
【発明が解決しようとする課題】
【０００６】
しかしながら、従来のプリーツ製品に施されているプリーツのほとんどは、各ヒダが直線状に形成されており、バリエーションに乏しい。一方、上記特許文献１に記載の当該発明を用いれば、ツイストプリーツと呼ばれるしわしわのプリーツが形成される。しかしながら、当該ツイストプリーツは、マシンプリーツまたはハンドプリーツの付された半製品を軟質シートで巻き、ねじり、紐で縛って熱処理してツイストプリーツを加えるため、プリーツ製品全体がしわしわの無秩序なプリーツとなり、製品としての高級感が却って損なわれる上、清楚さや上品さ、優雅さを伴う秩序あるプリーツデザインとはいえない。特にゆったりと湾曲された曲線状のプリーツや整然と並んだ曲線状のプリーツなどを製造することはできない。
【０００７】
また、上記特許文献１に記載の発明を含め従来のプリーツ製品は、単一の生地から形成されているため、形成された各ヒダの一つ一つを異なる色や異なる柄、異なる素材等にすることができない。そのため、従来のプリーツでは、陰影による美的印象しか与えることができず、単調なデザインに制限されてしまうという問題もある。
【０００８】
本発明は、このような問題点を解決するためになされたものであって、プリーツデザインの自由度を飛躍的に高めて多様なバリエーションのプリーツを展開することができ、優雅な印象や官能的な印象を与えるプリーツを備えた衣装等、製品に新たな価値を与えられる曲線状プリーツ製品および曲線状プリーツ製品の製造方法を提供することを目的としている。
【課題を解決するための手段】
【０００９】
本発明に係る曲線状プリーツ製品は、両側縁部が縦長曲線状に形成された複数の布生地片を、前記両側縁部の輪郭に沿って各々の左右両側縁部を繋ぎ合わせるとともに、それら繋ぎ合わせた前記側縁部の輪郭に沿って山折りと谷折りとを交互に繰り返して形成された曲線状プリーツを有する。
【００１０】
また、本発明の一態様として、前記布生地片は、前記曲線状プリーツの外側に現れる外側プリーツ片と、この外側プリーツ片よりも狭小の幅に形成されて前記曲線状プリーツの内側に収まる内側プリーツ片とから構成されており、前記外側プリーツ片と前記内側プリーツ片とが交互に配置され、向かい合う側縁部の輪郭が同一形状に形成されて繋ぎ合わせられてなる前記曲線状プリーツを有するようにしてもよい。
【００１１】
さらに、本発明の一態様としてにおいて、前記各布生地片が、異なる色、異なる柄、異なる素材若しくはこれらの組み合わせにより構成されていてもよい。
【００１２】
また、本発明に係る曲線状プリーツ製品の製造方法は、所望の布生地から、両側縁部が縦長曲線状に形成された複数の外側プリーツ片と、これら外側プリーツ片の側縁部の形状に合致する側縁部を備えるとともに前記外側プリーツ片よりも狭小の幅に形成された複数の内側プリーツ片とを裁断し、側縁部が合致する前記外側プリーツ片および前記内側プリーツ片を交互に並べて互いに向かい合う側縁部をその輪郭に沿って繋ぎ合わせ、縫合した各側縁部の輪郭に沿って山折りと谷折りとを交互に繰り返すように折り曲げて曲線状プリーツを形成し、前記曲線状プリーツを製品の所望の位置に取り付けて曲線状プリーツ製品を製造する。
【発明の効果】
【００１３】
本発明によれば、プリーツデザインの自由度を飛躍的に高めて多様なバリエーションのプリーツを展開することができ、優雅な印象や官能的な印象を与えるプリーツを備えた衣装等、プリーツ製品に新たな価値を与えることができる。
【図面の簡単な説明】
【００１４】
【図１】本発明に係る曲線状プリーツ製品の一実施形態として曲線状プリーツ付き衣服の正面図を示すコンピュータグラフィック画像である。
【図２】本実施形態の曲線状プリーツ付き衣服の背面を示すコンピュータグラフィック画像である。
【図３】本実施形態の曲線状プリーツ付き衣服におけるスカート部を示す正面図である。
【図４】図３における曲線状プリーツを構成する布生地片を示す図である。
【図５】本実施形態の曲線状プリーツ付き衣服におけるスカート部を示す背面図である。
【図６】図５における曲線状プリーツを構成する布生地片を示す図である。
【図７】曲線状プリーツ付き衣服の他の実施形態におけるスカート部を示す正面図である。
【図８】図７における曲線状プリーツを構成する布生地片を示す図である。
【図９】本実施形態のスカート部における下縁部を実線で表しその他の縁部を破線で表した一部拡大正面図である。
【図１０】図７に示す実施形態におけるスカート部の下縁部を実線で表しその他の縁部を破線で表した一部拡大正面図である。
【図１１】本実施形態の曲線状プリーツ付き衣服の上半身を示すコンピュータグラフィック画像である。
【発明を実施するための形態】
【００１５】
以下、本発明に係る曲線状プリーツ製品および曲線状プリーツ製品の製造方法の一実施形態について図面を用いて説明する。
【００１６】
曲線状プリーツ製品１は、曲線状のプリーツ構造を有する製品であって、スカート、ワンピース、ブラウス、パーティードレス、スラックス等の衣服やカーテン等の布製品に曲線状プリーツ２を装飾したものである。
【００１７】
本実施形態では、曲線状プリーツ製品１として、図１および図２に示すように、曲線状プリーツ付きの衣服１を一例として説明する。また、曲線状プリーツ付き衣服１には、そのスカート部１１の正面、同じくスカート部１１の背面、胸元部１２および左右の袖部１３に曲線状プリーツ２が設けられている。以下、曲線状プリーツ２の構成について、主に、スカート部１１の正面に設けられた曲線状プリーツ２に基づき詳細に説明する。
【００１８】
本実施形態における曲線状プリーツ２は、図３および図４に示すように、両側縁部が縦長曲線状に形成された複数の布生地片２１を、両側縁部の輪郭に沿って各々の左右両側縁部を繋ぎ合わせるとともに、それら繋ぎ合わせた側縁部の輪郭に沿って山折りと谷折りとが交互に繰り返されるように折り曲げられて形成されている。つまり、曲線状プリーツ２は、布生地にしわのような癖をつけて形成する方法や折り重ねた状態で縫製する方法とは異なり、ヒダを構成する各々の面が、各々異なる形状に裁断された布生地片２１で構成されたものである。そして、これらの各布生地片２１が、縫製や接着材を使った圧着等によって繋ぎ合わされて曲線状プリーツ２を構成している。
【００１９】
曲線状プリーツ２の布生地片２１は、衣服やカーテン等に用いることのできる布や革等であり、図４に示すように、型紙等を用いて布生地を所定の形状に裁断することにより両側縁部が縦長曲線状に形成されている。また、本実施形態における布生地片２１は、曲線状プリーツ２の外側に現れる外側プリーツ片２２と、前記曲線状プリーツ２の内側に収まる内側プリーツ片２３とから構成されている。そして、外側プリーツ片２２と内側プリーツ片２３とが交互に配置され、互いに向かい合う側縁部の輪郭が同一形状に形成されて繋ぎ合わせられることで曲線状プリーツ２を構成するようになっている。
【００２０】
外側プリーツ片２２は、左側側縁部Ａおよび右側側縁部Ｂが縦長曲線状に形成された布生地片２１である。その左右いずれかの側縁部Ａ，Ｂの輪郭は、完成した衣服の外側に現れることで美的印象を与える部分である。本実施形態では、図１、図３および図４に示すように、左側側縁部Ａの輪郭が外側に現れるようになっている。
【００２１】
一方、内側プリーツ片２３は、外側プリーツ片２２と同様、左側側縁部ａおよび右側側縁部ｂを縦長曲線状に形成された布生地片２１であり、外側プリーツ片２２の側縁部Ａ，Ｂの形状に合致する側縁部ａ，ｂを備えている。本実施形態では、図４に示すように、外側プリーツ片２２の右側側縁部Ａの輪郭と内側プリーツ片２３の右側側縁部ａの輪郭とが同じ輪郭を有するように形成されているとともに、外側プリーツ片２２の左側側縁部Ｂの輪郭と内側プリーツ片２３の左側側縁部ｂの輪郭とが同じ輪郭を有するように形成されている。また、本実施形態では、右端に位置する外側プリーツ片２２の右側側縁部Ｂはスカート部１１の背面側まで連続しており、サイドのシルエットを形成している。なお、左端に位置する外側プリーツ片２２の左側側縁部Ａ、および右端に位置する外側プリーツ片２２の右側側縁部Ｂは、任意の形状でもよい。
【００２２】
また、本実施形態における内側プリーツ片２３は、図４に示すように、外側プリーツ片２２よりも狭小の幅に形成されている。これにより、図１および図３に示すように、内側プリーツ片２３は、完成された曲線状プリーツ２において内側に収まるとともに、外側プリーツ片２２の左側側縁部Ａおよび内側プリーツ片２３の左側側縁部ａの輪郭が横方向に並列して配置されるようになっている。なお、内側プリーツ片２３の幅の寸法は任意に定めてよく、外側プリーツ片２２より狭小でなくてもよく略同幅に形成してもよい。
【００２３】
なお、本実施形態では、図３において曲線状プリーツ２の外側に現れる曲線状の形状は外側プリーツ片２２や内側プリーツ片２３の左側側縁部Ａ，ａの輪郭によって特定されているが、これに限定されるものではなく、図５および図６に示すように、右側側縁部Ｂ，ｂの輪郭によって特定されるようにしてももよい。
【００２４】
また、内側プリーツ片２３の幅は、曲線状プリーツ２をどの程度立ち上がらせるか、あるいはひらひらと揺れ動かせるようにするか等を考慮して決定される。例えば、図３および図４に示すように、内側プリーツ片２３の幅を広くすることで、図９に示すように、内側プリーツ片２３とその後ろ側の外側プリーツ片２２とにより形成される谷折りの谷が深くなるため、ヒダの立ち上がる高さを高くすることができる。一方、図７および図８に示すように、内側プリーツ片２３の幅を狭くすることで、図１０に示すように、谷が浅くなるため、ヒダの立ち上がる高さを低くすることができる。
【００２５】
また、各々の布生地片２１は、異なる色、異なる柄、異なる素材もしくはその組合せで構成させることができる。例えば、内側プリーツ片２３の色を外側プリーツ片２２と異ならせることにより、静止状態では内側に隠れているが動作することにより外から見えるように現れて、デザイン上のアクセントとして優れている。また、複数ある外側プリーツ片２２のうち、一部をレース生地にすることで、豪華さや艶やかさを醸し出すデザインにすることも可能である。
【００２６】
次に、曲線状プリーツ２は、上述した複数の布生地片２１を繋ぎ合わせることにより形成される。以下、各々の布生地片２１の繋ぎ合わせ方を含めて曲線状プリーツ製品１の一態様である曲線状プリーツ付き衣服の製造方法を例に説明する。
【００２７】
まず、曲線状プリーツ付き衣服の製造方法において、所望の布生地から縦長曲線状の外側プリーツ片２２および内側プリーツ片２３を取得する。本実施形態では、図４に示すように、布生地から両側縁部Ａ，Ｂが縦長曲線状に形成された複数の外側プリーツ片２２と、これら外側プリーツ片２２の側縁部Ａ，Ｂの形状に合致する側縁部ａ，ｂを備えるとともに前記外側プリーツ片２２よりも狭小の幅に形成された複数の内側プリーツ片２３とを裁断により取得する。
【００２８】
次に、側縁部Ａ，Ｂ，ａ，ｂが合致する外側プリーツ片２２と内側プリーツ片２３とを交互に並べて、互いに向かい合う側縁部同士を輪郭に沿って縫合する。本実施形態では、図４に示すように、外側プリーツ片２２の右側側縁部Ｂと内側プリーツ片２３の右側側縁部ｂとを輪郭に沿って縫合し、外側プリーツ片２２の左側側縁部Ａと内側プリーツ片２３の左側側縁部ａとを輪郭に沿って縫合している。これにより、各布生地片２１が、両側縁部の輪郭に沿ってきれいに繋ぎ合わされる。
【００２９】
なお、各布生地片２２，２３の側縁部Ａ，Ｂ，ａ，ｂ同士の縫い方は、ほつれない縫製であれば特に限定されるものではなく、例えば、なみ縫い、返し縫い、かがり縫い、まつり縫い等から適宜選択されるものである。また、曲線状の輪郭が崩れないように輪郭に沿ってワイヤー等の芯材を入れてもよい。また、繋ぎ合わせ方は、縫製に限定されるものではなく、粘着剤等を用いて圧着してもよい。
【００３０】
次に、繋ぎ合わされた外側プリーツ片２２および内側プリーツ片２３は、縫合した各側縁部Ａ，Ｂ，ａ，ｂの輪郭に沿って折り曲げられる。このとき、山折りと谷折りとが交互に繰り返されるように折り曲げることで、図１に示すように、外側プリーツ片２２が外側に配置され、内側プリーツ片２３が内側に配置されて曲線状プリーツ２が形成される。本実施形態では、折り曲げた後の各側縁部Ａ，Ｂ，ａ，ｂの輪郭をプレス加工して折り目を付けるようにしている。
【００３１】
なお、デザインに応じて縫い目が内側に隠れるように折り曲げたり、外側に現れるように折り曲げたりすることができる。また、本実施形態では、外側プリーツ片２２および内側プリーツ片２３の縫合が終了した後に各輪郭に沿って折り曲げ作業を行っているが、各々の輪郭の縫合を行う度に、必要に応じて折り曲げ作業を行うようにしてもよい。
【００３２】
最後に、形成された曲線状プリーツ２を衣服の所望の位置に縫着することで、曲線状プリーツ付きの衣服が製造される。これにより、衣服における所望の位置に曲線状プリーツ２を自由に配置することができ、デザイン上の制約が一切ない。例えば、本実施形態では、図１に示すように、スカート部１１の前面中央にスリットを設け、そのスリットの右側に曲線状プリーツ２を縫着している。同様に、本実施形態の曲線状プリーツ製品１では、図１および図２に示すように、スカート部１１の背面、胸元部１２および左右の袖部１３にも曲線状プリーツ２が縫着されており、様々な部位に取り付けられることがわかる。
【００３３】
次に、本実施形態の曲線状プリーツ製品１における各構成の作用について説明する。
【００３４】
曲線状プリーツ２は、図１および図３に示すように、外側プリーツ片２２の左側側縁部Ａの曲線状の輪郭が横方向に並ぶように現れる。このため、曲線状プリーツ２を見た者に対して、従来では得られない美しい曲線状のプリーツデザインによる美的印象を与えることができる。かかる曲線状のプリーツ２は、デザイン上の自由度が高いため、清楚な印象や艶麗な印象、優雅で官能的な印象等、様々な美的印象を実現できる。
【００３５】
また、図９および図１０に示すように、内側プリーツ片２３の幅を増減することにより、立ち上げる高さを変えられるため、各々のプリーツの揺れ具合や立ち具合を適宜調節することも可能である。例えば、図９に示すように、内側プリーツ片２３の幅を広くすれば、曲線状プリーツ２がひらひらと揺れ動きやすくなり、優雅さをアピールしやすく上品になる。一方、図１０に示すように、内側プリーツ片２３の幅を狭くした場合には、内側プリーツ片２３そのものの自重が軽くなるため動き易さが増し、動く度に内側プリーツ片２３が見え隠れし易くなる。
【００３６】
また、外側に現れる外側プリーツ片２２における左側側縁部Ａの曲線状の輪郭は、プリーツのデザインを規定する役割を持っており、所望する輪郭にデザインすることができる。従って、表現したいデザインイメージを実現しやすい。
【００３７】
また、図示しないが、各々の外側プリーツ片２２および各々の内側プリーツ片２３を異なる色、異なる柄、異なる素材若しくはこれらの組み合わせにより構成することにより美的効果を高めることができる。例えば、一つの布生地片２１をシースルー素材にすることによりスリットを設けたような効果が得られるし、あるいは、外側プリーツ片２２の色彩と内側プリーツ片２３の色彩とを異ならせることにより曲線状プリーツ２の立体感を強調することができる。
【００３８】
さらに、図１、図２および図１１に示すように、曲線状プリーツ２を設ける位置や大きさの制限が少ないため、曲線状プリーツ製品１自体の自由度も高いといえる。例えば、ウェディングドレスのスカート部分に、曲線状プリーツ２を螺旋状に配置することによりゴージャスなデザインに仕上げることもできる。
【００３９】
以上のような本実施形態によれば、以下のような効果を得ることができる。
１．各々の布生地片２１の形状、色、柄、素材等を自由に選択できるため、プリーツデザインの自由度を飛躍的に高めて多様なバリエーションの曲線状プリーツ２を展開することができる。
２．曲線状プリーツ製品１における曲線状プリーツ２を設ける位置等を自由に選択することができるため、曲線状プリーツ製品１自体の種類や形状等の自由度が高く、多様なバリエーションの曲線状プリーツ製品１を展開することができる。
３．曲線状プリーツ製品１および曲線状プリーツ２におけるデザイン上の自由度が高いため、清楚な印象や艶麗な印象や優雅で官能的な印象等の様々な美的印象や高級感等、曲線状プリーツ製品１に新たな価値を与えることができる。
４．各々の布生地片２１の幅を適宜選択することにより、各々のプリーツの揺れ具合や立ち具合を適宜調節することが可能になり、自由度の高いデザイン性のみならず、動き易さなどの機能性も兼ね備えることができる。
【００４０】
なお、本発明に係る曲線状プリーツ製品および曲線状プリーツ製品の製造方法は、前述した実施形態に限定されるものではなく、適宜変更することができる。
【００４１】
例えば、本実施形態では、曲線状プリーツ付き衣服としてワンピースを例に説明したが、曲線状プリーツ製品１は、衣服に限定されることなく、カーテン等の様々な布製品であってもよい。また、繋ぎ合わせても揺れ動き具合が低減しない等、曲線状プリーツ２のよさが失われないのであれば、皮革生地を用いてもよい。
【符号の説明】
【００４２】
１  曲線状プリーツ製品
２  曲線状プリーツ
１１  スカート部
１２  胸元部
１３  袖部
２１  布生地片
２２  外側プリーツ片
２３  内側プリーツ片
Ａ  外側プリーツ片の左側側縁部
Ｂ  外側プリーツ片の右側側縁部
ａ  内側プリーツ片の左側側縁部
ｂ  内側プリーツ片の右側側縁部
【要約】
【課題】  プリーツデザインの自由度を飛躍的に高めて多様なバリエーションのプリーツを展開することができ、優雅な印象や官能的な印象を与えるプリーツを備えた衣装等、製品に新たな価値を与えられる曲線状プリーツ製品および曲線状プリーツ製品の製造方法を提供する。
【解決手段】  両側縁部Ａ，Ｂ，ａ，ｂが縦長曲線状に形成された複数の布生地片２１を、前記両側縁部Ａ，Ｂ，ａ，ｂの輪郭に沿って各々の左右両側縁部Ａ，Ｂ，ａ，ｂを繋ぎ合わせるとともに、それら繋ぎ合わせた前記側縁部Ａ，Ｂ，ａ，ｂの輪郭に沿って山折りと谷折りとを交互に繰り返して形成された曲線状プリーツ２を有する。
【選択図】  図１【図３】
0005559919.tif 000002
【図４】
0005559919.tif 000003
【図５】
0005559919.tif 000004
【図６】
0005559919.tif 000005
【図７】
0005559919.tif 000006
【図８】
0005559919.tif 000007
【図９】
0005559919.tif 000008
【図１０】
0005559919.tif 000009
【図１】
0005559919.tif 000010
【図２】
0005559919.tif 000011
【図１１】
0005559919.tif 000012